(57)【特許請求の範囲】
【請求項１】
進化型ノード（ｅＮＢ）が測定設定に従って形成された測定設定副本に対して交換（Ｓｗａｐ）動作を行なって第一測定設定を取得すること、
ｅＮＢが自身設定とユーザ端末（ＵＥ）能力に従って第二測定設定を生成し、且つ第一測定設定と比較すること、
第一測定設定と第二測定設定が同じである場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れること、及び
ｅＮＢが前記制御メッセージに従ってＵＥに無線リソース制御（ＲＲＣ）接続再設定メッセージを発信することを含む異周波数測定設定発信方法。
【請求項２】
前記異周波数測定設定は異周波数切替測定設定又は異周波数ＲＲＣ接続再設定測定設定である請求項１に記載の方法。
【請求項３】
前記異周波数測定設定発信がｅＮＢ内の異周波数切替測定設定発信である場合、
ｅＮＢが測定設定に従って形成された測定設定副本に対してＳｗａｐ動作を行なって第一測定設定を取得するステップの前に、前記方法は、ｅＮＢがＵＥから報告した測定レポートを受信し、測定レポートに従って異周波数切替と判定し、且つ測定設定を測定設定副本にコピーして保存することをさらに含み、
前記制御メッセージがＲＲＣ接続再設定メッセージである請求項２に記載の方法。
【請求項４】
ｅＮＢがＵＥにＲＲＣ接続再設定メッセージを発信するステップにおいて、測定設定発信方式がｅＮＢ内切替発信方式である請求項３に記載の方法。
【請求項５】
前記異周波数測定設定発信がｅＮＢ間の異周波数切替測定設定発信である場合、
ｅＮＢが測定設定に従って形成された測定設定副本に対してＳｗａｐ動作を行なって第一測定設定を取得するステップの前に、前記方法は、ソース側ｅＮＢがＵＥから報告した測定レポートを受信し、異周波数切替と判定し、異周波数切替方式Ｘ２又はＳ１を決定することを含み、
ｅＮＢが測定設定に従って形成された測定設定副本に対してＳｗａｐ動作を行なって第一測定設定を取得するステップは、ソース側ｅＮＢが現在の測定設定を測定設定副本に形成し、且つ目標側ｅＮＢに伝送し、目標側ｅＮＢがソース側測定設定副本に対してＳｗａｐ動作を行い、第一測定設定を取得することを含み、
前記制御メッセージは切替命令であり、
ｅＮＢが自身設定とＵＥ能力に従って第二測定設定を生成するステップは、目標側ｅＮＢが自身設定とユーザ端末（ＵＥ）能力に従って第二測定設定を生成して保存することを含み、
ｅＮＢが前記制御メッセージに従ってＵＥにＲＲＣ接続再設定メッセージを発信するステップは、目標側ｅＮＢが切替命令をソース側ｅＮＢに転送し、ソース側ｅＮＢが切替命令に従ってＲＲＣ接続再設定メッセージを生成し発信する請求項２に記載の方法。
【請求項６】
ソース側ｅＮＢが切替命令に従ってＲＲＣ接続再設定メッセージを生成し発信するステップにおいて、測定設定発信方式はＸ２切替発信方式とＳ１切替発信方式である請求項５に記載の方法。
【請求項７】
前記異周波数測定設定発信がＲＲＣ接続再設定測定設定発信である場合、
ｅＮＢが測定設定に従って形成された測定設定副本に対してＳｗａｐ動作を行なって第一測定設定を取得するステップは、ＵＥがｅＮＢに異周波数ＲＲＣ接続再設定要求を送信し且つ応答を受信した後、ｅＮＢが保存しているソース側測定設定副本に対してＳｗａｐ動作を行なって第一測定設定を取得することを含み、
前記制御命令がＲＲＣ接続再設定メッセージである請求項２に記載の方法。
【請求項８】
ｅＮＢがＲＲＣ接続再設定メッセージを発信するステップにおいて、前記測定設定発信方式が異周波数ＲＲＣ接続再設定発信方式である請求項７に記載の方法。
【請求項９】
ソース側測定設定副本に対してＳｗａｐ動作を行い、第一測定設定を生成し、且つ第一測定設定をそれと接続される測定設定比較ユニットに伝送するように設置される交換（Ｓｗａｐ）動作ユニットと、
ｅＮＢ自身の関連する設定とＵＥ能力に従って、第二測定設定を生成し、且つ第二測定設定をそれと接続される測定設定比較ユニットに伝送するように設置される測定設定生成ユニットと、
第一測定設定と第二測定設定を受信し比較し、比較結果に従って制御メッセージに書き入れ、且つ制御メッセージをそれと接続される測定設定送信ユニットに転送し、そのうち、第一測定設定と第二測定設定が同じである場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れるように設置される測定設定比較ユニットと、
前記制御メッセージに従ってＵＥに無線リソース制御（ＲＲＣ）接続再設定メッセージを発信するように設置される測定設定送信ユニットを備える異周波数測定設定発信装置。
【請求項１０】
前記異周波数測定設定は異周波数切替測定設定又は異周波数ＲＲＣ接続再設定測定設定である請求項９に記載の装置。
【請求項１１】
前記異周波数測定設定発信がｅＮＢ内の異周波数切替測定設定発信である場合、
前記Ｓｗａｐ動作ユニットは、ｅＮＢがＵＥから報告した測定レポートを受信し、測定レポートに従って異周波数切替と判定し、且つ測定設定を測定設定副本にコピーして保存するようにさらに設置され、
前記制御メッセージがＲＲＣ接続再設定メッセージである請求項１０に記載の装置。
【請求項１２】
測定設定送信ユニットがＵＥにＲＲＣ接続再設定メッセージを発信する場合、測定設定発信方式がｅＮＢ内切替発信方式である請求項１１に記載の装置。
【請求項１３】
前記異周波数測定設定発信がｅＮＢ間の異周波数切替測定設定発信である場合、
前記Ｓｗａｐ動作ユニットは、ソース側ｅＮＢがＵＥから報告した測定レポートを受信し、異周波数切替と判定し、異周波数切替方式Ｘ２又はＳ１を決定するようにさらに設置され、
前記Ｓｗａｐ動作ユニットは、前記装置がソース側ｅＮＢにある場合、現在の測定設定を測定設定副本に形成し、目標側ｅＮＢに伝送し、前記装置が目標側ｅＮＢにある場合、ソース側測定設定副本に対してＳｗａｐ動作を行い、第一測定設定を取得するように、測定設定に従って形成された測定設定副本に対してＳｗａｐ動作を行なって第一測定設定を取得するように設置され、
前記制御メッセージが切替命令であり、
前記測定設定生成ユニットは、前記装置が目標側ｅＮＢにある場合、自身設定とＵＥ能力に従って第二測定設定を生成し保存するように、自身設定とＵＥ能力に従って第二測定設定を生成するように設置され、
前記測定設定送信ユニットは、前記測定設定送信ユニットが目標側ｅＮＢにある場合、切替命令をソース側ｅＮＢに転送し、前記測定設定送信ユニットがソース側ｅＮＢにある場合、切替命令に従ってＲＲＣ接続再設定メッセージを生成し発信するように、前記制御メッセージに従ってＵＥにＲＲＣ接続再設定メッセージを発信するように設置される請求項１０に記載の装置。
【請求項１４】
前記異周波数測定設定発信がＲＲＣ接続再設定測定設定発信である場合、
前記Ｓｗａｐ動作ユニットは、ｅＮＢに異周波数ＲＲＣ接続再設定請求を送信し且つ応答を受信した後、保存しているソース側測定設定副本に対してＳｗａｐ動作を行なって第一測定設定を取得するように、測定設定に従って形成された測定設定副本に対してＳｗａｐ動作を行なって第一測定設定を取得するように設置され、
前記制御命令がＲＲＣ接続再設定メッセージである請求項１０に記載の装置。
【請求項１５】
前記測定設定送信ユニットは異周波数ＲＲＣ接続再設定発信方式によってＲＲＣ接続再設定メッセージを発信するように設置される請求項１４に記載の装置。
【発明の詳細な説明】
【発明の詳細な説明】
【０００１】
〔技術分野〕
本発明はロング・ターム・エボリューション（Long Term Evolution、ＬＴＥ）分野に関し、特に異周波数測定設定発信方法及び装置に関する。
【０００２】
〔背景技術〕
３６３３１プロトコルに従って、ユーザ設備（User Equipment、ＵＥ）が受信した無線リソース制御（Radio Resource Control、ＲＲＣ）接続再設定（RRC Connection Reconfiguration）メッセージに移動性制御情報を含み、且つ異周波数切替又は異周波数RRC接続再設定を行なう場合、UEは下記の動作を行なう。
【０００３】
１＞ＵＥ側に保存している測定設定（VarMeasConfig）において、測定対象識別子リスト（measObjectIdList）セルは目標側セル（Ｄ側セルと略称する）周波数点に対応する測定対象識別子（measObjectId）が存在すると、
２＞測定識別子リスト（measIdList）に対応するそれぞれの測定識別子（measId）に対して、
３＞該measIdが接続されるmeasObjectIdはソース側セル（Ｓ側セルと略称する）搬送周波数であると、
４＞該measIdをＤ側セル搬送周波数に対応するmeasObjectIdに接続し、
３＞該measIdが接続されるmeasObjectIdはＤ側セル搬送周波数であると、
４＞該measIdをＳ側セル搬送周波数に対応するmeasObjectIdに接続し、
１＞VarMeasConfigにおいてmeasObjectIdListセルはＤ側セル周波数点に対応するmeasObjectIdが存在ないと、
２＞すべてのＳ側セル搬送周波数measObjectIdに接続するmeasIdを削除し、
・・・・・・
１＞受信したＲＲＣ接続再設定メッセージにmeasConfigを含むと、
２＞ＲＲＣ接続再設定メッセージにおける測定設定を実行し
ここで該動作を交換（Ｓｗａｐ）動作と称し、プロトコルから、これはＵＥが異周波数切替と異周波数ＲＲＣ接続再設定を行う時の必須動作である。表１と表２はＵＥがＳｗａｐ動作を行なう前とＳｗａｐ動作を行なった後の測定設定例示を示す。第一セルと第二セルは異周波数近隣であり、ＵＥは最初に第一セルにアクセスし、この時、ＵＥの測定設定が第一セルの測定設定と同じである。異周波数切替又は異周波数ＲＲＣ接続再設定を行う時、ＵＥがＳｗａｐ動作を行なう。第二セル側が第一セル側から伝送してきた測定設定に対してＳｗａｐ動作を行なって保存し、このようにＵＥの測定設定と第二セル側の測定設定の一致性を保証でき、ＲＲＣ接続再設定メッセージにおいて測定設定を発信せず、基地局とＵＥの間のＸ１インタフェースシグナル伝送を減少させる。
【０００４】
表１：異周波数切替、異周波数ＲＲＣ接続再設定前、ＵＥが保存している測定設定の例示
【０００５】
【表１】
0005459690.tif 000002
【０００６】
表２：異周波数切替、異周波数ＲＲＣ接続再設定した後、ＵＥが測定設定に対してＳｗａｐを行なった後の測定設定の例示
【０００７】
【表２】
0005459690.tif 000003
【０００８】
前記方法はＸ１インタフェースシグナルを減少させ、システム効率を向上させることができるが、Ｄ側セル自身設定の状況を考慮せず、従って、下記の状況で問題が現れる。
【０００９】
仮に３つのセルが存在するとし、ｃｅｌｌ＿０がｃｅｌｌ＿１、ｃｅｌｌ＿２を近隣とし、３つの近隣の周波数点が互いに異なり、ＵＥが最初にｃｅｌｌ＿０にアクセスし、異周波数切替／異周波数RRC接続をｃｅｌｌ＿１に再設定する。
【００１０】
ｃｅｌｌ＿１がｃｅｌｌ＿０を近隣としないと、ｃｅｌｌ＿０セルの周波数点も異周波数周波数点として設定しない。切替又はＲＲＣ接続再設定の後、すべてのｃｅｌｌ＿０セル周波数点に対する異周波数測定イベントの存在は不合理的であり、なぜかというと、ｃｅｌｌ＿１がｃｅｌｌ＿０を異周波数近隣とぜず、当然ｃｅｌｌ＿０周波数点に関する測定イベントを設定しないべきからである。
【００１１】
ｃｅｌｌ＿０が所在する進化型ノードＢ（Evolved Node B、ｅＮＢ）が自動近隣関係（Automatic Neighbor Relation、ＡＮＲ）機能をサポートし、且つ測定イベントを設定したと、ｃｅｌｌ＿１が所在するｅＮＢがＡＮＲ機能をサポートせず、測定イベントを設定せず、切替又はＲＲＣ接続再設定の後、ｃｅｌｌ＿１の測定設定においてサポートしないＡＮＲ機能測定設定が余分になり、ＵＥにもともと存在すべきではない測定設定を設定するのは不合理的である。
【００１２】
ｃｅｌｌ＿１がｃｅｌｌ＿２を近隣としないと、ｃｅｌｌ＿２の周波数点も異周波数周波数点として設定しない。切替又はＲＲＣ接続再設定の後、すべてのｃｅｌｌ＿２周波数点に対する異周波数測定イベントの存在は不合理的である。
【００１３】
ｃｅｌｌ＿０がセル間干渉制御（Inter Cell Interference Coordination、ＩＣＩＣ）機能をサポートしないと、ｃｅｌｌ＿１がＩＣＩＣ機能をサポートし且つすべてのセルにアクセスしたＵＥにＩＣＩＣの関連する測定イベントを発信して同一周波数干渉の問題を解決する必要があり、ｃｅｌｌ＿０がＵＥにＩＣＩＣの関連する測定イベントを設定していないため、切替又はＲＲＣ接続再設定の後、ＵＥはＩＣＩＣの関連する測定イベントがなく、ｃｅｌｌ＿１がすべての該セルにアクセスしたＵＥにＩＣＩＣを発信して同一周波数干渉を防止する目的に達成していない。
【００１４】
前記４つの場面は、いずれも異周波数切替又は異周波数ＲＲＣ接続再設定の後、測定設定の不十分又は測定設定の使用不可能をもたらし、基地局がＵＥと同じＳＷＡＰ動作を行うのはただ設定の一致性を解決でき、測定設定の正確性を保証できない。
【００１５】
〔発明の概要〕
本発明の目的は異周波数測定設定発信方法及び装置を提供し、正確に異周波数測定設定を発信し、効果的にＵＥの測定設定の不十分又は測定設定の使用不可能の問題を解決することにある。
【００１６】
根据本発明の１つの面は、異周波数測定設定発信方法であり、該方法は、
進化型ノード（ｅＮＢ）が測定設定に従って形成された測定設定副本に対して交換（Ｓｗａｐ）動作を行なって第一測定設定を取得すること、
ｅＮＢが自身設定とユーザ端末（ＵＥ）能力に従って第二測定設定を生成し、且つ第一測定設定と比較すること、
第一測定設定と第二測定設定が同じである場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れること、及び
ｅＮＢが前記制御メッセージに従ってＵＥに無線リソース制御（ＲＲＣ）接続再設定メッセージを発信することを含む。
【００１７】
前記異周波数測定設定は異周波数切替測定設定又は異周波数ＲＲＣ接続再設定測定設定である。
【００１８】
前記異周波数測定設定発信がｅＮＢ内の異周波数切替測定設定発信である場合、
ｅＮＢが測定設定に従って形成された測定設定副本に対してＳｗａｐ動作を行なって第一測定設定を取得するステップの前に、前記方法は、ｅＮＢがＵＥから報告した測定レポートを受信し、測定レポートに従って異周波数切替と判定し、且つ測定設定を測定設定副本にコピーして保存することをさらに含み、
前記制御メッセージがＲＲＣ接続再設定メッセージである。
【００１９】
ｅＮＢがＵＥにＲＲＣ接続再設定メッセージを発信するステップにおいて、測定設定発信方式がｅＮＢ内切替発信方式である。
【００２０】
前記異周波数測定設定発信がｅＮＢ間の異周波数切替測定設定発信である場合、
ｅＮＢが測定設定に従って形成された測定設定副本に対してＳｗａｐ動作を行なって第一測定設定を取得するステップの前に、前記方法は、ソース側ｅＮＢがＵＥから報告した測定レポートを受信し、異周波数切替と判定し、異周波数切替方式Ｘ２又はＳ１を決定することを含み、
ｅＮＢが測定設定に従って形成された測定設定副本に対してＳｗａｐ動作を行なって第一測定設定を取得するステップは、ソース側ｅＮＢが現在の測定設定を測定設定副本に形成し、且つ目標側ｅＮＢに伝送し、目標側ｅＮＢがソース側測定設定副本に対してＳｗａｐ動作を行い、第一測定設定を取得することを含み、
前記制御メッセージは切替命令であり、
ｅＮＢが自身設定とＵＥ能力に従って第二測定設定を生成するステップは、目標側ｅＮＢが自身設定とユーザ端末（ＵＥ）能力に従って第二測定設定を生成して保存することを含み、
ｅＮＢが前記制御メッセージに従ってＵＥにＲＲＣ接続再設定メッセージを発信するステップは、目標側ｅＮＢが切替命令をソース側ｅＮＢに転送し、ソース側ｅＮＢが切替命令に従ってＲＲＣ接続再設定メッセージを生成し発信する。
【００２１】
ソース側ｅＮＢが切替命令に従ってＲＲＣ接続再設定メッセージを生成し発信するステップにおいて、測定設定発信方式はＸ２切替発信方式とＳ１切替発信方式である。
【００２２】
前記異周波数測定設定発信がＲＲＣ接続再設定測定設定発信である場合、
ｅＮＢが測定設定に従って形成された測定設定副本に対してＳｗａｐ動作を行なって第一測定設定を取得するステップは、ＵＥがｅＮＢに異周波数ＲＲＣ接続再設定要求を送信し且つ応答を受信した後、ｅＮＢが保存しているソース側測定設定副本に対してＳｗａｐ動作を行なって第一測定設定を取得することを含み、
前記制御命令がＲＲＣ接続再設定メッセージである。
【００２３】
ｅＮＢがＲＲＣ接続再設定メッセージを発信するステップにおいて、前記測定設定発信方式が異周波数ＲＲＣ接続再設定発信方式である。
【００２４】
本発明の１つの面により、異周波数測定設定発信装置であって、
ソース側測定設定副本に対してＳｗａｐ動作を行い、第一測定設定を生成し、且つ第一測定設定をそれと接続される測定設定比較ユニットに伝送するように設置される交換（Ｓｗａｐ）動作ユニットと、
ｅＮＢ自身の関連する設定とＵＥ能力に従って、第二測定設定を生成し、且つ第二測定設定をそれと接続される測定設定比較ユニットに伝送するように設置される測定設定生成ユニットと、
第一測定設定と第二測定設定を受信し比較し、比較結果に従って制御メッセージに書き入れ、且つ制御メッセージをそれと接続される測定設定送信ユニットに転送し、そのうち、第一測定設定と第二測定設定が同じである場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れるように設置される測定設定比較ユニットと、
前記制御メッセージに従ってＵＥに無線リソース制御（ＲＲＣ）接続再設定メッセージを発信するように設置される測定設定送信ユニットとを備える。
【００２５】
前記異周波数測定設定は異周波数切替測定設定又は異周波数ＲＲＣ接続再設定測定設定である。
【００２６】
前記異周波数測定設定発信がｅＮＢ内の異周波数切替測定設定発信である場合、
前記Ｓｗａｐ動作ユニットは、ｅＮＢがＵＥから報告した測定レポートを受信し、測定レポートに従って異周波数切替と判定し、且つ測定設定を測定設定副本にコピーして保存するようにさらに設置され、
前記制御メッセージがＲＲＣ接続再設定メッセージである。
【００２７】
測定設定送信ユニットがＵＥにＲＲＣ接続再設定メッセージを発信する場合、測定設定発信方式がｅＮＢ内切替発信方式である。
【００２８】
前記異周波数測定設定発信がｅＮＢ間の異周波数切替測定設定発信である場合、
前記Ｓｗａｐ動作ユニットは、ソース側ｅＮＢがＵＥから報告した測定レポートを受信し、異周波数切替と判定し、異周波数切替方式Ｘ２又はＳ１を決定するようにさらに設置され、
前記Ｓｗａｐ動作ユニットは、前記装置がソース側ｅＮＢにある場合、現在の測定設定を測定設定副本に形成し、目標側ｅＮＢに伝送し、前記装置が目標側ｅＮＢにある場合、ソース側測定設定副本に対してＳｗａｐ動作を行い、第一測定設定を取得するように、測定設定に従って形成された測定設定副本に対してＳｗａｐ動作を行なって第一測定設定を取得するように設置され、
前記制御メッセージが切替命令であり、
前記測定設定生成ユニットは、前記装置が目標側ｅＮＢにある場合、自身設定とＵＥ能力に従って第二測定設定を生成し保存するように、自身設定とＵＥ能力に従って第二測定設定を生成するように設置され、
前記測定設定送信ユニットは、前記測定設定送信ユニットが目標側ｅＮＢにある場合、切替命令をソース側ｅＮＢに転送し、前記測定設定送信ユニットがソース側ｅＮＢにある場合、切替命令に従ってＲＲＣ接続再設定メッセージを生成し発信するように、前記制御メッセージに従ってＵＥにＲＲＣ接続再設定メッセージを発信するように設置される。
【００２９】
前記異周波数測定設定発信がＲＲＣ接続再設定測定設定発信である場合、
前記Ｓｗａｐ動作ユニットは、ｅＮＢに異周波数ＲＲＣ接続再設定請求を送信し且つ応答を受信した後、保存しているソース側測定設定副本に対してＳｗａｐ動作を行なって第一測定設定を取得するように、測定設定に従って形成された測定設定副本に対してＳｗａｐ動作を行なって第一測定設定を取得するように設置され、
前記制御命令がＲＲＣ接続再設定メッセージである。
【００３０】
前記測定設定送信ユニットは異周波数ＲＲＣ接続再設定発信方式によってＲＲＣ接続再設定メッセージを発信するように設置される。
【００３１】
従来の技術に比べて、本発明の前記方法及び装置を使用すると、異周波数切替又は異周波数ＲＲＣ接続再設定の後、ＵＥのすべてのセルの測定設定を正確にさせ、且つＵＥの測定設定と一致させ、いくらかの場面においてＸ１インタフェースシグナルを減少させることもできる。
【００３２】
〔図面の説明〕
図１は本発明実施例によるｅＮＢ内異周波数切替測定設定の処理フロチャート図である。
【００３３】
図２は本発明実施例によるｅＮＢ間Ｘ２異周波数切替測定設定の処理フロチャート図である。
【００３４】
図３は本発明実施例によるｅＮＢ間Ｓ１異周波数切替測定設定の処理フロチャート図である。
【００３５】
図４は本発明実施例による異周波数ＲＲＣ接続再設定測定設定の処理フロチャート図である。
【００３６】
図５は本発明実施例による異周波数切替、異周波数ＲＲＣ接続再設定測定設定正確発信装置ブロック図である。
【００３７】
図６は本発明の異周波数測定設定発信方法の模式図である。
【００３８】
〔本発明の好適な実施形態〕
以下、図面を参考して本発明の好ましい実施例を詳しく説明し、理解すべきなのは、以下の好ましい実施例が本発明を説明し解釈するためのものしかに過ぎず、本発明を制限するものではない。ただし、衝突しない場合に、本出願における実施例及び実施例の特徴が互いに任意に組み合わせることができる。
【００３９】
本発明による異周波数測定設定発信方法は図６に示す通りであり、該方法は、
進化型ノード（ｅＮＢ）が測定設定に従って形成された測定設定副本に対してＳｗａｐ動作を行なって第一測定設定を取得すること、
ｅＮＢが自身設定とユーザ端末（ＵＥ）能力に従って第二測定設定を生成し、且つ第一測定設定と比較すること、
第一測定設定と第二測定設定が同じである場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れること、及び
ｅＮＢが前記制御メッセージに従ってＵＥに無線リソース制御（ＲＲＣ）接続再設定メッセージを発信することを含む。
【００４０】
前記異周波数測定設定は異周波数切替測定設定又は異周波数ＲＲＣ接続再設定測定設定である。
【００４１】
そのうち、前記異周波数測定設定発信がｅＮＢ内の異周波数切替測定設定発信である場合、
ｅＮＢが測定設定に従って形成された測定設定副本に対してＳｗａｐ動作を行なって第一測定設定を取得するステップの前に、前記方法は、ｅＮＢがＵＥから報告した測定レポートを受信し、測定レポートに従って異周波数切替と判定し、且つ測定設定を測定設定副本にコピーして保存することをさらに含み、
前記制御メッセージがＲＲＣ接続再設定メッセージである。
【００４２】
前記異周波数測定設定発信がｅＮＢ内の異周波数切替測定設定発信である場合、ｅＮＢがＵＥにＲＲＣ接続再設定メッセージを発信するステップにおいて、測定設定発信方式がｅＮＢ内切替発信方式である。
【００４３】
そのうち、前記異周波数測定設定発信がｅＮＢ間の異周波数切替測定設定発信である場合、
ｅＮＢが測定設定に従って形成された測定設定副本に対してＳｗａｐ動作を行なって第一測定設定を取得するステップの前に、前記方法は、ソース側ｅＮＢがＵＥから報告した測定レポートを受信し、異周波数切替と判定し、異周波数切替方式Ｘ２又はＳ１を決定することを含み、
ｅＮＢが測定設定に従って形成された測定設定副本に対してＳｗａｐ動作を行なって第一測定設定を取得するステップは、ソース側ｅＮＢが現在の測定設定を測定設定副本に形成し、且つ目標側ｅＮＢに伝送し、目標側ｅＮＢがソース側測定設定副本に対してＳｗａｐ動作を行い、第一測定設定を取得することを含み、
前記制御メッセージは切替命令であり、
そのうち、前記異周波数測定設定発信がｅＮＢ間の異周波数切替測定設定発信である場合、ｅＮＢが自身設定とＵＥ能力に従って第二測定設定を生成するステップは、目標側ｅＮＢが自身設定とユーザ端末（ＵＥ）能力に従って第二測定設定を生成して保存することを含み、
ｅＮＢが前記制御メッセージに従ってＵＥにＲＲＣ接続再設定メッセージを発信するステップは、目標側ｅＮＢが切替命令をソース側ｅＮＢに転送し、ソース側ｅＮＢが切替命令に従ってＲＲＣ接続再設定メッセージを生成し発信する。
【００４４】
ソース側ｅＮＢが切替命令に従ってＲＲＣ接続再設定メッセージを生成し発信するステップにおいて、測定設定発信方式はＸ２切替発信方式とＳ１切替発信方式である。
【００４５】
そのうち、前記異周波数測定設定発信がＲＲＣ接続再設定測定設定発信である場合、
ｅＮＢが測定設定に従って形成された測定設定副本に対してＳｗａｐ動作を行なって第一測定設定を取得するステップは、ＵＥがｅＮＢに異周波数ＲＲＣ接続再設定要求を送信し且つ応答を受信した後、ｅＮＢが保存しているソース側測定設定副本に対してＳｗａｐ動作を行なって第一測定設定を取得することを含み、
前記制御命令がＲＲＣ接続再設定メッセージである。
【００４６】
そのうち、前記異周波数測定設定発信がＲＲＣ接続再設定測定設定発信である場合、ｅＮＢがＲＲＣ接続再設定メッセージを発信するステップにおいて、前記測定設定発信方式が異周波数ＲＲＣ接続再設定発信方式である。
【００４７】
以下、実施例を介して、本発明による異周波数測定設定発信方法をそれぞれ、異周波数測定設定発信がｅＮＢ内の異周波数切替測定設定発信である過程、異周波数測定設定発信がｅＮＢ間の異周波数切替測定設定発信である過程、及び異周波数測定設定発信がＲＲＣ接続再設定測定設定発信である過程に応用する状況を詳しく説明する。
【００４８】
図１は本発明実施例によるｅＮＢ内異周波数切替測定設定の処理流れを示し、図１に示すように、そのステップは以下の通りである。
【００４９】
ｅＮＢがＵＥから報告した測定レポートを受信し、測定レポートに従って異周波数切替と判定し、ソース側セルから伝送してきた現在の測定設定を測定設定副本にコピーして保存し、
ｅＮＢが測定設定副本に対してＳｗａｐ動作を行い、Ｓｗａｐ後の第一測定設定を取得し、
ｅＮＢが自身設定、例えば周波数点とＩＣＩＣ機能など、ＵＥ能力、例えばサポートする周波数チャネルと異周波数異システムなどに従って第二測定設定を生成し、且つ、第一測定設定と比較し、
第一測定設定と第二測定設定が同じである場合、ＲＲＣ接続再設定メッセージに測定設定を書き入れず、第一測定設定が第二測定設定の一部である場合、ＲＲＣ接続再設定メッセージにおいて目標側の余分な測定設定を追加リストに入れ、第一測定設定と第二測定設定が異なる（完全に異なる、一部が同じ一部が異なる場合を含む）場合、ＲＲＣ接続再設定メッセージにおいて将第一測定設定を削除リストに入れ、第一測定設定を削除リストに入れ、第二測定設定を追加リストに入れ、
ｅＮＢがＵＥにＲＲＣ接続再設定メッセージを発信する。
【００５０】
前記測定設定、第一測定設定、第二測定設定はいずれも測定識別子（MeasID）、測定対象識別子（MeasObjectID）、測定対象（MeasObject）、レポート設定識別子（ReportConfigID）、及びレポート設定（ReportConfig）を含む。
【００５１】
前記ｅＮＢ内切替測定設定の処理方法に従って、仮に２つの互いに異周波数近隣であるセルｃｅｌｌ＿０とｃｅｌｌ＿１が同一のｅＮＢ内にあるとし、ＵＥがｃｅｌｌ＿０にアクセスし、且つｃｅｌｌ＿０が同一周波数切替、異周波数切替測定を発信したイベント後、ｅＮＢ内切替過程は以下の通りである。
【００５２】
１．ＵＥが異周波数切替イベントを報告し、測定レポートにｃｅｌｌ＿１近隣情報を書き入れ、
２．ｅＮＢがＵＥの報告した近隣ｃｅｌｌ＿１が本ｅＮＢ内のセルと判定し、ｅＮＢ内切替を発起し、ｅＮＢが現在の測定設定を測定設定副本にコピーして保存し、且つそれに対してＳｗａｐ動作を行いｍ、第一測定設定を生成し、
前記保存する測定設定はｃｅｌｌ−０側の測定設定であり、
３．ｃｅｌｌ＿１が自身の関連する設定とUE能力に従って第二測定設定を生成し、且つ第一測定設定と比較し、
４．第一測定設定と第二測定設定が同じ場合、ＲＲＣ接続再設定メッセージに測定設定を書き入れず、
５．ｅＮＢがＵＥにＲＲＣ接続再設定メッセージを発信する。
【００５３】
測定設定が完全に同じ場合、ＲＲＣ接続再設定メッセージに測定設定を書き入れる必要がないので、Ｘ１インタフェースのシグナルを減少させた。
【００５４】
図２は本発明実施例によるｅＮＢ間Ｘ２異周波数切替測定設定の処理流れを示し、図３は本発明実施例によるｅＮＢ間Ｓ１異周波数切替測定設定の処理流れを示し、図２と図３に示すように、２つのｅＮＢはそれぞれソース側のｅＮＢ−Ｓと目標側のｅＮＢ−Ｄであり、ｅＮＢ間異周波数切替ステップは以下の通りである。
【００５５】
ｅＮＢ−ＳがＵＥの報告した測定レポートを受信し、異周波数切替方式Ｘ２又はＳ１を判定し、現在のソース側測定設定を測定設定副本に形成してｅＮＢ−Ｄに伝送し、Ｓ１切替を行なうと、ｅＮＢ−Ｄが移動管理装置（Mobility Management Entity、ＭＭＥ）によってｅＮＢ−Ｓが送信したソース側測定設定副本を受信し、
ｅＮＢ−Ｄはソース側測定設定副本に対してＳｗａｐ動作を行い、第一測定設定を取得し、
ｅＮＢ−Ｄが自身設定、例えば周波数点とＩＣＩＣ機能など、ＵＥ能力、例えばサポートする周波数チャネルと異周波数異システムなどに従って、第二測定設定を生成し保存し、
第一測定設定と第二測定設定を比較し、第一測定設定と第二測定設定が同じである場合、切替命令に測定設定を書き入れず、第一測定設定が第二測定設定の一部である場合、切替命令において目標側の余分な測定設定を追加リストに入れ、第一測定設定と第二測定設定が異なる場合、切替命令において第一測定設定を削除リストに入れ、第二測定設定を追加リストに入れる。
【００５６】
切替命令をｅＮＢ−Ｓに転送し、ｅＮＢ−Ｓが切替命令に従ってＲＲＣ接続再設定メッセージを生成し、ＵＥとｅＮＢ−Ｓ間のＸ１インタフェースを介してＵＥに発信する。
【００５７】
前記測定設定、第一測定設定、第二測定設定はいずれも測定識別子（MeasID）、測定対象識別子（MeasObjectID）、測定対象（MeasObject）、レポート設定識別子（ReportConfigID）、及びレポート設定（ReportConfig）を含む。
【００５８】
前記ｅＮＢ間切替測定設定の処理方法に従って、仮に２つの異周波数近隣のセルｃｅｌｌ＿０とｃｅｌｌ＿１が存在するとし、ｃｅｌｌ−０がｅＮＢ−Ｓ内に位置し、ｃｅｌｌ−１がｅＮＢ−Ｄ内に位置し、且つｃｅｌｌ＿１がｃｅｌｌ＿０の周波数点を異周波数周波数点として設定せず、ＵＥがｃｅｌｌ＿０にアクセスし、ｃｅｌｌ＿０がＩＣＩＣ測定イベント、異周波数切替測定を発信したイベント後、Ｘ２切替を例として、ｅＮＢ間切替過程は以下の通りである。
【００５９】
１．ＵＥが異周波数切替イベントを報告し、測定レポートにｃｅｌｌ＿１近隣情報を書き入れ、
２．ｅＮＢ−Ｓが報告近隣ｃｅｌｌ＿１がｅＮＢ−Ｄ内の隣接セルであると判定し、Ｘ２切替を発起し、
３．ｅＮＢ−Ｓが現在の測定設定を保存し且つ測定設定副本に副本し、測定設定副本が切替準備要求メッセージとともにｅＮＢ−Ｄに伝送され、ｅＮＢ−ＤがｅＮＢ−Ｓから伝送してきた測定設定副本に対してＳｗａｐを行なった後第一測定設定を取得し、且つ自身設定、例えば周波数点とＩＣＩＣ機能など、ＵＥ能力、例えばサポートする周波数チャネルと異周波数異システムなどに従って第二測定設定を生成し、第一測定設定と第二測定設定を比較し、
４．ｃｅｌｌ＿１がｃｅｌｌ＿０周波数点を測定の異周波数周波数点とせず、その時比較結果が異なり、切替命令において第一測定設定を削除リストに入れ、第二測定設定を追加リストに入れ、
５．切替命令をｅＮＢ−Ｓに伝送し、ｅＮＢ−Ｓが切替命令に従ってＲＲＣ接続再設定メッセージを生成し、ＵＥとｅＮＢ−Ｓの間のＸ１インタフェースを介して発信する。
【００６０】
図４は本発明実施例による異周波数ＲＲＣ接続再設定測定設定の処理流れを示し、図４に示すように、ｃｅｌｌ＿０からｃｅｌｌ＿１までの異周波数切替が失敗したと、ｃｅｌｌ＿１が所在するｅＮＢ−Ｄは測定設定情報を含むＵＥ文脈情報を保存しており、この時、異周波数ＲＲＣ接続再設定の流れは以下の通りである。
【００６１】
ＵＥがｅＮＢ−ＤにＲＲＣ接続再設定要求を送信し、
ｅＮＢ−Ｄが測定設定副本に対してＳｗａｐ動作を行なって第一測定設定を取得し、
ｅＮＢ−Ｄが自身設定、例えば周波数点とＩＣＩＣ機能など、ＵＥ能力、例えばサポートする周波数チャネルと異周波数異システムなどに従って第二測定設定を生成し保存し、  第一測定設定と第二測定設定を比較し、第一測定設定と第二測定設定が同じと、ＲＲＣ接続再設定メッセージに測定設定を書き入れず、この時、ｅＮＢ−Ｄが第一測定設定を保存し、第一測定設定が第二測定設定の一部であると、ＲＲＣ接続再設定メッセージに余分な測定設定を書き入れ、異なると、ＲＲＣ接続再設定メッセージにおいて第一測定設定を削除リストに入れ、第二測定設定を追加リストに入れる。
【００６２】
前記ＲＲＣ接続再設定測定設定処理方法に従って、仮に２つの互いに異周波数近隣であるセルｃｅｌｌ＿０とｃｅｌｌ＿１が存在するとし、ＵＥがｃｅｌｌ＿０にアクセスし、且つｃｅｌｌ＿０をｃｅｌｌ＿１に切り替えることが失敗し、ｃｅｌｌ＿１がＩＣＩＣ機能をサポートし、ＲＲＣ接続再設定測定設定の過程は以下の通りである。
【００６３】
１．ＵＥがｃｅｌｌ＿１にＲＲＣ接続再設定要求を送信し且つｃｅｌｌ＿１の応答を受信し、この時、ｃｅｌｌ＿１がすでにｃｅｌｌ＿０の測定設定副本を保存しており、
２．ｃｅｌｌ＿１が保存しているｃｅｌｌ＿０の測定設定副本に対してＳｗａｐを行なった後、第一測定設定を取得し、且つ自身設定とＵＥ能力に従って第二測定設定を生成し、第一測定設定と第二測定設定を比較し、
３．ｃｅｌｌ＿１がＩＣＩＣ機能をサポートし、且つＩＣＩＣ測定設定の他に、第二測定設定と第一測定設定が同じ、ＲＲＣ接続再設定メッセージにＩＣＩＣ測定設定を書き入れ、
４．ｃｅｌｌ＿１がＲＲＣ接続再設定メッセージを発信する。
【００６４】
本実施例はだらに異周波数測定設定発信装置を提供し、
ソース側測定設定副本に対してＳｗａｐ動作を行い、第一測定設定を生成し、且つ第一測定設定をそれと接続される測定設定比較ユニットに伝送するように設置される交換（Ｓｗａｐ）動作ユニットと、
ｅＮＢ自身の関連する設定とＵＥ能力に従って、第二測定設定を生成し、且つ第二測定設定をそれと接続される測定設定比較ユニットに伝送するように設置される測定設定生成ユニットと、
第一測定設定と第二測定設定を受信し比較し、比較結果に従って制御メッセージに書き入れ、且つ制御メッセージをそれと接続される測定設定送信ユニットに転送し、そのうち、第一測定設定と第二測定設定が同じ場合、制御メッセージに測定設定を書き入れず、第一測定設定が第二測定設定の一部である場合、制御メッセージにおいて目標側の余分な測定設定を追加リストに入れ、第一測定設定と第二測定設定が異なる場合、制御メッセージにおいて第一測定設定を削除リストに入れ、第二測定設定を追加リストに入れるように設置される測定設定比較ユニットと、
前記制御メッセージに従ってＵＥに無線リソース制御（ＲＲＣ）接続再設定メッセージを発信するように設置される測定設定送信ユニットとを備える。
【００６５】
前記異周波数測定設定は異周波数切替測定設定又は異周波数ＲＲＣ接続再設定測定設定である。
【００６６】
前記異周波数測定設定発信がｅＮＢ内の異周波数切替測定設定発信である場合、
前記Ｓｗａｐ動作ユニットは、ｅＮＢがＵＥから報告した測定レポートを受信し、測定レポートに従って異周波数切替と判定し、且つ測定設定を測定設定副本にコピーして保存するようにさらに設置され、
前記制御メッセージがＲＲＣ接続再設定メッセージである。
【００６７】
測定設定送信ユニットがＵＥにＲＲＣ接続再設定メッセージを発信する場合、測定設定発信方式がｅＮＢ内切替発信方式である。
【００６８】
前記異周波数測定設定発信がｅＮＢ間の異周波数切替測定設定発信である場合、
前記Ｓｗａｐ動作ユニットは、ソース側ｅＮＢがＵＥから報告した測定レポートを受信し、異周波数切替と判定し、異周波数切替方式Ｘ２又はＳ１を決定するようにさらに設置され、
前記Ｓｗａｐ動作ユニットは、前記装置がソース側ｅＮＢにある場合、現在の測定設定を測定設定副本に形成し、目標側ｅＮＢに伝送し、前記装置が目標側ｅＮＢにある場合、ソース側測定設定副本に対してＳｗａｐ動作を行い、第一測定設定を取得するように、測定設定に従って形成された測定設定副本に対してＳｗａｐ動作を行なって第一測定設定を取得するように設置され、
前記制御メッセージが切替命令であり、
前記測定設定生成ユニットは、前記装置が目標側ｅＮＢにある場合、自身設定とＵＥ能力に従って第二測定設定を生成し保存するように、自身設定とＵＥ能力に従って第二測定設定を生成するように設置され、
前記測定設定送信ユニットは、前記測定設定送信ユニットが目標側ｅＮＢにある場合、切替命令をソース側ｅＮＢに転送し、前記測定設定送信ユニットがソース側ｅＮＢにある場合、切替命令に従ってＲＲＣ接続再設定メッセージを生成し発信するように、前記制御メッセージに従ってＵＥにＲＲＣ接続再設定メッセージを発信するように設置される。
【００６９】
前記異周波数測定設定発信がＲＲＣ接続再設定測定設定発信である場合、
前記Ｓｗａｐ動作ユニットは、ｅＮＢに異周波数ＲＲＣ接続再設定請求を送信し且つ応答を受信した後、保存しているソース側測定設定副本に対してＳｗａｐ動作を行なって第一測定設定を取得するように、測定設定に従って形成された測定設定副本に対してＳｗａｐ動作を行なって第一測定設定を取得するように設置され、
前記制御命令がＲＲＣ接続再設定メッセージである。
【００７０】
前記測定設定送信ユニットは異周波数ＲＲＣ接続再設定発信方式によってＲＲＣ接続再設定メッセージを発信するように設置される。
【００７１】
前記装置は応用実施例において図５に示す通りであり、図５は本発明実施例による異周波数切替、異周波数ＲＲＣ接続再設定測定設定正確発信装置ブロック図を示し、図５に示すように、本装置は、
ソース側から送信した又は自身が保存しているソース側測定設定副本に対してＳｗａｐ動作を行い、第一測定設定を生成し、且つ第一測定設定をそれと接続される測定設定比較ユニットに伝送するように設置される交換（Ｓｗａｐ）動作ユニットと、
ｅＮＢ自身の設定、例えば周波数点とＩＣＩＣ機能など、ＵＥ能力、例えばサポートする周波数チャネルと異周波数異システムなどに従って第二測定設定を生成し、第二測定設定を生成し、且つ第二測定設定をそれと接続される測定設定比較ユニットに伝送するように設置される測定設定生成ユニットと、
第一測定設定と第二測定設定を受信し比較し、比較結果を切替命令又はＲＲＣ接続再設定メッセージに書き入れ、且つ切替命令をそれと接続される測定設定送信ユニットに転送し、第一測定設定と第二測定設定が同じ場合、切替命令又はＲＲＣ接続再設定メッセージに測定設定を書き入れず、第一測定設定が第二測定設定の部分集合である場合、切替命令又はＲＲＣ接続再設定メッセージに目標側の余分な測定設定を書き入れ、第一測定設定と第二測定設定が異なる場合、切替命令又はＲＲＣ接続再設定メッセージにおいて第一測定設定を削除リストに入れ、第二測定設定を追加リストに入れるように設置される測定設定比較ユニットと、
Ｘ２インタフェース又はＳ１インタフェースを介してソース側に切替命令を送信し、又はＸ１インタフェースを介してＵＥにＲＲＣ接続再設定メッセージを送信するように設置される測定設定送信ユニットとを備える。
【００７２】
ｅＮＢ内異周波数切替を行う時、測定設定比較結果をＲＲＣ接続再設定メッセージに書き入れ、ｅＮＢ内切替発信方式で、Ｘ１インタフェースを介してＲＲＣ接続再設定メッセージをＵＥに送信し、ｅＮＢ間異周波数切替を行う時、測定設定比較結果を切替命令に書き入れ、Ｘ２切替発信方式で、Ｘ２インタフェースを介してソース側に発信し、又はＳ１切替発信方式で、Ｓ１インタフェースを介してソース側に発信し、異周波数ＲＲＣ接続再設定を行う時、測定設定比較結果をＲＲＣ接続再設定メッセージに書き入れ、異周波数ＲＲＣ接続再設定発信方式で、Ｘ１インタフェースを介してＲＲＣ接続再設定メッセージをＵＥに送信する。
【００７３】
前記ｅＮＢ間異周波数切替において、切替命令をソース側に送信した後、ソース側が切替命令に従ってＲＲＣ接続再設定メッセージを生成し、その後さらにＸ１インタフェースを介してＵＥに発信する。
【００７４】
前記測定設定、第一測定設定、第二測定設定はいずれも測定識別子（MeasID）、測定対象識別子（MeasObjectID）、測定対象（MeasObject）、レポート設定識別子（ReportConfigID）、及びレポート設定（ReportConfig）を含む。
【００７５】
以上は本発明を詳しく説明したが、本発明がここに限らず、当業者は本発明の原理に従って様々な修正を行なうことができる。従って、本発明の原理に従って行なった如何なる修正は本発明の保護範囲に属すると理解すべきである。
【００７６】
〔工業の実用性〕
以上のように、本発明の方法及び装置によれば、異周波数切替の後、目標側の測定設定の正確性、及び目標側測定設定とＵＥ側測定設定の一致性を保証でき、ＵＥの測定設定の不十分又は測定設定の使用不可能による測定設定が不正確である問題を解決し、特定の場面においてＸ１インタフェースシグナルを減少させ、システム効率を向上させることもできる。
【図面の簡単な説明】
【００７７】
【図１】本発明実施例によるｅＮＢ内異周波数切替測定設定の処理フロチャート図である。
【図２】本発明実施例によるｅＮＢ間Ｘ２異周波数切替測定設定の処理フロチャート図である。
【図３】本発明実施例によるｅＮＢ間Ｓ１異周波数切替測定設定の処理フロチャート図である。
【図４】本発明実施例による異周波数ＲＲＣ接続再設定測定設定の処理フロチャート図である。
【図５】本発明実施例による異周波数切替、異周波数ＲＲＣ接続再設定測定設定正確発信装置ブロック図である。
【図６】本発明の異周波数測定設定発信方法の模式図である。
【図１】
0005459690.tif 000004
【図２】
0005459690.tif 000005
【図３】
0005459690.tif 000006
【図４】
0005459690.tif 000007
【図５】
0005459690.tif 000008
【図６】
0005459690.tif 000009